(57)【要約】【課題】足のむくみの回復や疲労回復をより効果的に行うことのできる簡易ベッドを提供する。【解決手段】人体を支持するための簡易ベッドであって、人体１３の心臓付近の背面側が低く踵側が高くなるように、前記心臓付近の背面側から前記踵側に至る部分をほぼ直線的に支持する傾斜面１７を、ベッド本体１５に備え、前記傾斜面１７の下部側に、人体の頭部を支持するための頭部支持部１９を備え、前記心臓付近の背面側が低くなるように、前記傾斜面１７と前記頭部支持部１９との間に凹部を備え、前記傾斜面１７の傾斜角を調節可能に構成してある。【選択図】図１
2006288426.tif 000002
【特許請求の範囲】
【請求項１】
人体を支持するための簡易ベッドであって、人体の心臓付近の背面側が低く踵側が高くなるように、前記心臓付近の背面側から前記踵側に至る部分をほぼ直線的に支持する傾斜面を、ベッド本体に備えていることを特徴とする簡易ベッド。
【請求項２】
請求項１に記載の簡易ベッドにおいて、前記傾斜面の下部側に、人体の頭部を支持するための頭部支持部を備えていることを特徴とする簡易ベッド。
【請求項３】
請求項２に記載の簡易ベッドにおいて、前記心臓付近の背面側が低くなるように、前記傾斜面と前記頭部支持部との間に凹部を備えていることを特徴とする簡易ベッド。
【請求項４】
請求項１，２又は３に記載の簡易ベッドにおいて、前記傾斜面の傾斜角を調節可能に構成してあることを特徴とする簡易ベッド。
【請求項５】
請求項４に記載の簡易ベッドにおいて、前記傾斜面を、連続して次第に下降可能に構成してあることを特徴とする簡易ベッド。
【請求項６】
請求項１，２，３又は４に記載の簡易ベッドにおいて、人体の心臓付近の背面側が低く踵側が高くなるように使用するときに当該簡易ベッドの安定化を図るための安定化手段を出入可能に備えていることを特徴とする簡易ベッド。
【発明の詳細な説明】
【技術分野】
【０００１】
本発明は、足を高くして寝ることのできる簡易ベッドにかかり、さらに詳細には、心臓の背面側付近から踵側に至る部分をほぼ直線的に支持するための傾斜面を備えた簡易ベッドに関する。
【背景技術】
【０００２】
従来、足のむくみやだるさの回復や、疲労回復のために、足を高くして寝る簡易ベッドが提案されている（例えば特許文献１参照）。
【特許文献１】特開２００４−８４７２号公報
【発明の開示】
【発明が解決しようとする課題】
【０００３】
前記特許文献１に記載の簡易ベッドは、図８に示す如き構成である。すなわち、ベッドは大腿部を乗せる前床部１と下腿部，足を乗せる後床部３とを備えた構成であり、かつ前記前床部１，後床部３及びそれぞれの支持脚部５，７を、それぞれ矢印方向へ折り畳み可能に備えている。そして、前記前床部１及び後床部３はそれぞれ高さ調節可能に構成してある。
【０００４】
前記前床部１は傾斜してあり、この前床部１の上部に連接して後床部３が設けてあるので、使用者が横になって大腿部を前床部１に乗せ、かつ下腿部，足を後床部３に乗せることにより、使用者は足を高くして寝ることになる。
【０００５】
ところで、足のむくみやだるさを効果的に回復するには、心臓付近の背面（背中）側が最も低く、この背面側から踵に至る部分は、踵側が高くなるようにほぼ直線状態の姿勢にあることが望ましい。このような姿勢にある場合、血流の回復が効果的に行われ、足のむくみやだるさの回復が効果的に行われるものである。
【０００６】
ところが、前記特許文献１に記載のベッドの構成においては、腰から頭に至る部分はほぼ水平な姿勢であって、大腿部はひざが高くなるように傾斜し、かつ下腿部はほぼ水平な姿勢にある。すなわち、使用者の体はほぼＺ形状を呈する姿勢にある。したがって、足のむくみやだるさ，疲労回復を効果的に行うにはより改善することが望まれている。
【課題を解決するための手段】
【０００７】
本発明は、前述したごとき問題に鑑みてなされたもので、人体を支持するための簡易ベッドであって、人体の心臓付近の背面側が低く踵側が高くなるように、前記心臓付近の背面側から前記踵側に至る部分をほぼ直線的に支持する傾斜面を、ベッド本体に備えていることを特徴とするものである。
【０００８】
また、前記簡易ベッドにおいて、前記傾斜面の下部側に、人体の頭部を支持するための頭部支持部を備えていることを特徴とするものである。
【０００９】
また、前記簡易ベッドにおいて、前記心臓付近の背面側が低くなるように、前記傾斜面と前記頭部支持部との間に凹部を備えていることを特徴とするものである。
【００１０】
また、前記簡易ベッドにおいて、前記傾斜面の傾斜角を調節可能に構成してあることを特徴とするものである。
【００１１】
また、前記簡易ベッドにおいて、前記傾斜面を、連続して次第に下降可能に構成してあることを特徴とするものである。
【００１２】
また、前記簡易ベッドにおいて、人体の心臓付近の背面側が低く踵側が高くなるように使用するときに当該簡易ベッドの安定化を図るための安定化手段を出入可能に備えていることを特徴とするものである。
【発明の効果】
【００１３】
本発明によれば、ベッド使用時には、人体の心臓付近の背面（背中）側が低く踵側が高くなると共に、前記心臓付近の背面側から踵に至る部分がベッドの傾斜面によってほぼ直線を呈する姿勢に支持されることとなり、血流の回復が効果的に行われて、足のむくみ，だるさ及び疲労回復が効果的に行われることになる。
【発明を実施するための最良の形態】
【００１４】
図１を参照するに、本発明の実施形態に係る簡易ベッド１１は人体１３を支持するベッド本体１５を備えている。より詳細には、ベッド本体１５は前記人体１３の背中，腰，足の部分をほぼ直線的な姿勢に支持する傾斜面１７を備えており、この傾斜面１７の下部側には前記人体の頭部を支持するための頭部支持部１９を備えている。
【００１５】
前記傾斜面１７は、簡易ベッド１１を使用する前記人体１３の心臓付近の背面側（背中側）が低く踵側が高くなるように支持すべく、前記背中側から踵に至る部分を充分に支持し得る長さ寸法（約１４０ｃｍ位）に構成してあり、その傾斜角は約１０度〜３０度が望ましいが、傾斜角を約８０度程度に構成することも可能である。
【００１６】
前記頭部支持部１９は、前記傾斜面１７の下部側から水平に長く設けた構成であって、この頭部支持部１９の上面に枕２１を使用して人体の頭部を支持することにより、人体の心臓は頭部より低い位置になるものである。換言すれば、枕２１を使用することにより、簡易ベッド１１上の人体の姿勢は、人体の心臓付近の背面側（背中側）が最も低くなるような姿勢となるものである。
【００１７】
なお、前記枕２１を使用することが望ましいが、必ずしも必要とするものではなく、省略することも可能である。また前記枕２１は、頭部支持部１９と一体化して備えることも可能である。このように、枕２１を頭部支持部１９に一体的に備えた構成においては、人体の心臓付近の背面側が低くなるように、前記傾斜面１７と頭部支持部１９の先端部との間に凹部を備えた構成となるものである。
【００１８】
上記構成により、頭部支持部１９に枕２１を使用して仰向けになると、人体の心臓付近の背面側が低くなり、この背面側から踵側に至る部分は、簡易ベッド１１の傾斜面１７によって踵側が高くなるようにほぼ直線的な姿勢で支持される。したがって、心臓付近が最も低くなり、血流の回復が効果的に行われて、足のむくみやだるさの回復及び疲労回復が効果的に行われる。
【００１９】
図２は第２の実施形態を示すもので、前記実施形態の構成要素と同一機能を奏する構成要素には同一符号を付することとして重複した説明は省略する。この第２の実施形態においては、ベッド本体１５を下側の固定部１５Ａと上側の可動部１５Ｂを備えて、可動部１５Ｂを、心臓付近の背面側のヒンジ部（図示省略）を中心として上下方向に揺動可能（回動可能）に構成してある。
【００２０】
前記可動部１５Ｂを上下に調整して前記傾斜面１７の傾斜角を調整するために、前記固定部１５Ａと可動部１５Ｂとの間には、上下動用アクチュエータ２３が設けてある。上記上下動用アクチュエータ２３としては、物体を上下動するためのリンク機構，ボールネジ機構，流体圧機構など種々の機構を作動する構成として種々な機構，構成を採用することができるが、本実施形態においては、エアークッション，適宜のエアーチューブなどのごとき流体圧機構を採用した場合を例示してある。
【００２１】
前記上下動用アクチュエータ２３にはモータＭによって駆動されるエアーポンプ２５が接続してあり、このエアーポンプ２５と上下動用アクチュエータ２３とを接続した接続路には、逆流防止弁２９及び切換弁３１が配置してある。上記切換弁３１は、タイマー３３の作動の下に切換え動作されたときに、前記上下動用アクチュエータ２３内のエアーを外部へ排出するように機能するものである。なお、前記上下動用アクチュエータ２３からエアーを排出する排出路には、エアーの排出量を調整可能な流量調整弁を設けることが望ましい。
【００２２】
上記構成によれば、前述した実施形態と同様の効果を奏し得ることは勿論のこと、上下動用アクチュエータ２３に対するエアーの供給量を調整することにより、可動部１５Ｂの上方向への揺動角を調節することができ、傾斜面１７の傾斜角を所望の角度に調節することができる。そして、タイマー３３を適宜に設定することにより、可動部１５Ｂを上昇傾斜した状態に所望時間保持した後に、切換弁３１を切換えて次第に下降することができる。この場合、タイマー３３を適宜に作動することにより、可動部１５Ｂを連続動作において下降することや、所望角下降した後に所望時間停止し、その後に再び下降することを複数回繰り返して、可動部１５Ｂを段階的に下降することも可能である。
【００２３】
したがって、簡易ベッドを使用して睡眠に就いた場合であっても、使用者の気付かないうちに可動部１５Ｂを水平状態に復帰することができるものであり、頭を低くした状態においての睡眠状態を長時間保持することがなく、長時間足を上げた状態での睡眠による寝返りの不自由さを回避することができるものである。
【００２４】
ところで、上記説明においては、切換弁３１を採用して、上下動用アクチュエータ２３に対するエアーの供給、排出を行う旨説明した。しかし、前記切換弁３１を省略することも可能である。すなわち、前記上下動用アクチュエータ２３に、エアーポンプ２５から供給されるエアー量よりも少量のエアーを排出する排出孔を備え、この排出孔から常にエアーを排出する構成とする。
【００２５】
このような構成とすることにより、初期においては、前記上下動用アクチュエータ２３に対しエアーポンプ２５から供給されるエアー量と前記排出孔から排出されるエアー量との差によって上下動用アクチュエータ２３が作動され、可動部１５Ｂは上昇傾斜される。前記可動部１５Ｂが適宜に上昇傾斜された後、又は最上昇位置に傾斜された後に、操作部（図示省略）に備えたスイッチ操作やタイマーの作動などによって前記エアーポンプ２５の駆動を停止すると、上下動用アクチュエータ２３内のエアーは前記排出孔から排出されるので、前記可動部１５Ｂは次第に下降して初期の水平状態に復帰するものである。
【００２６】
上記構成によれば、構成がより簡素になり、より安価に製造することができるものである。
【００２７】
図３は第３の実施形態を示すもので、前記頭部支持部１９を薄い構成としたものである。図４は第４の実施形態を示すもので、前記頭部支持部１９を省略した構成である。この第３、第４の実施形態によれば、前述と同様の効果を奏し得ると共に構成がより簡単になり、より安価に製造することができるものである。
【００２８】
以上のごとき説明より理解されるように、本実施形態に係る簡易ベッドによれば、人体の心臓付近の背面（背中）側が低く踵側が高くなるように、そして前記心臓付近の背面側から踵側に至る部分をほぼ直線を呈する姿勢に支持することができ、血流の回復を効果的に行うことができる。したがって、足のむくみや疲労回復を容易に行い得るものである。
【００２９】
ところで、前述の説明においては、踵側を高くして使用する専用的なベッドについて説明したが、図５に示すように、背側を支持する背支持部３５，腰部分及び臀部分を支持する腰支持部３７，大腿部を支持する大腿支持部３９，脚部を支持する脚支持部４１をそれぞれヒンジ部４３，４５，４７を介して屈曲可能に連結した構成とすることも可能である。そして、図５（Ｂ）に示すように、前記背支持部３５をほぼ水平状態とし、前記腰支持部３７，大腿支持部３９及び脚支持部４１をほぼ直線状として、前記脚支持部４１側が高くなるように傾斜したときに、全体の安定化を図るための安定化手段４９が前記背支持部３５の背面に設けてある。
【００３０】
上記安定化手段４９は、前記背支持部３５の背面に取付けたスライドガイド５１と、このスライドガイド５１に対して前記腰支持部３７側へ出入可能なスライド５３とを備えると共に、前記スライドガイド５１に対してスライド５３を一体的に固定可能なボルト等のごとき固定具５５を備えている。
【００３１】
上記構成の簡易ベッドは、通常においてはソファーとして使用可能であり、踵側を高くして使用する場合には、スライドガイド５１からスライド５３を引き出して固定具５５によって固定することにより、安定した状態に保持することができるものである。
【００３２】
図６に示す実施形態は、図５に示した実施形態における安定化手段４９を省略して、腰支持部３７の両側に、ヒンジ５７を介して肘掛部５９を上下に回動可能に設けた構成である。この肘掛部５９は、簡易ベッドをソファーとして使用するときには、図６（Ａ）に示すように上側へ回動した状態に保持して肘掛けとして使用するものである。そして、簡易ベッドを、踵側を高くするように使用する場合には、図６（Ｂ）に示すように、肘掛部５９を下側へ回動した状態に保持し、前記大腿支持部３９及び脚支持部４１を水平状にする。そして、前記背支持部３５、腰支持部３７を、背支持部３５側が高くなるように直線状に傾斜すると共に、前記肘掛部５９によって腰支持部３７を支持するようにする。
【００３３】
この場合は、使用者の頭が脚支持部４１側に位置し、踵側が背支持部３５側に位置するように使用するものである。この際、前記肘掛部５９は腰支持部３７及び背支持部３５が倒れないように支持する機能を奏するものであって、全体の安定化を図るための安定化手段を構成するものである。
【００３４】
図７はさらに別の実施形態を示すもので、通常は座いすとして使用可能な簡易ベッドであって、座いすとして使用するときに腰部を支持する腰支持部３７と背側を支持する背支持部３５とを屈曲して備えた構成であって、前記背支持部３５の背面に、全体の安定会を図るための安定化支持手段として支持脚６１を出入可能に備えた構成である。
【００３５】
上記構成において踵側を高くするには、腰支持部３７側に使用者の頭を位置し、背支持部３５の上部側に使用者の踵側を位置させて使用するものである。
【図面の簡単な説明】
【００３６】
【図１】本発明の第１の実施形態に係る簡易ベッドの概略的な説明図である。
【図２】本発明の第２の実施形態に係る簡易ベッドの概略的な説明図である。
【図３】本発明の第３の実施形態に係る簡易ベッドの概略的な説明図である。
【図４】本発明の第４の実施形態に係る簡易ベッドの概略的な説明図である。
【図５】本発明の第５の実施形態に係る簡易ベッドの概略的な説明図である。
【図６】本発明の第６の実施形態に係る簡易ベッドの概略的な説明図である。
【図７】本発明の第７の実施形態に係る簡易ベッドの概略的な説明図である。
【図８】従来の簡易ベッドの斜視説明図である。
【符号の説明】
【００３７】
１１    簡易ベッド
１５    ベッド本体
１７    傾斜面
１９    頭部支持部
２１    枕
【図１】
2006288426.tif 000003
【図２】
2006288426.tif 000004
【図３】
2006288426.tif 000005
【図４】
2006288426.tif 000006
【図５】
2006288426.tif 000007
【図６】
2006288426.tif 000008
【図７】
2006288426.tif 000009
【図８】
2006288426.tif 000010